【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
電気化学セルシステムであって、
空気流入路および空気流出路を備えたカートリッジであり、使用中に、空気が、前記空気流出路を通って流れる空気とは実質的に反対方向に、前記空気流入路を通って流れる、前記カートリッジと、
空気を前記空気流入路および前記空気流出路を通って移動させるように構成された前記カートリッジ内に存在するエアムーバーと、
を備えた電気化学セルシステム。
【請求項２】
前記空気流入路が、空気流入口を備え、前記空気流出路が、空気流出口を備え、前記空気流入口および前記空気流出口が、前記カートリッジの同一の端部に配置された、請求項１に記載のシステム。
【請求項３】
前記空気流入路および前記空気流出路が、前記カートリッジの両側に配置された、請求項１に記載のシステム。
【請求項４】
前記空気流出路が、実質的に、前記カートリッジの全長にわたって延びる、請求項１に記載のシステム。
【請求項５】
前記空気流出路が、それの長手方向に沿って異なる断面積を有する、請求項１に記載のシステム。
【請求項６】
前記エアムーバーがファンを備えた、請求項１に記載のシステム。
【請求項７】
制御回路が、選択されたしきい値電流において前記エアムーバーを作動させる、請求項１に記載のシステム。
【請求項８】
前記カートリッジが、着脱可能な金属空気セルを収容するように構成された、請求項１に記載のシステム。
【請求項９】
前記カートリッジ内に金属空気セルをさらに備えた、請求項１に記載のシステム。
【請求項１０】
前記金属空気セルが、第１の端部および第２の端部を有し、前記エアムーバーが、前記金属空気セルの前記端部間に配置された、請求項９に記載のシステム。
【請求項１１】
前記金属空気セルが、第１の端部および第２の端部を有し、空気の流れが、前記金属空気セルの前記端部を越えて流れることがない、請求項９に記載のシステム。
【請求項１２】
前記エアムーバーが、前記金属空気セルから約４ｍｍ未満だけ離れている、請求項９に記載のシステム。
【請求項１３】
前記エアムーバーが、前記金属空気セルから約３ｍｍ未満だけ離れている、請求項９に記載のシステム。
【請求項１４】
前記金属空気セルが、前記金属空気セルの長手方向に沿って様々に異なる透過抵抗を有するポリマー層を備えた、請求項９に記載のシステム。
【請求項１５】
前記透過抵抗が、前記空気流入路からの距離に応じて変化する、請求項１４に記載のシステム。
【請求項１６】
空気の流れが、システム内を再循環しない、請求項１に記載のシステム。
【請求項１７】
前記エアムーバーの動作を制御するように構成された制御回路を前記カートリッジ内にさらに備えた、請求項１に記載のシステム。
【請求項１８】
前記金属空気セルが、前記金属空気セルの一部分を取り巻くポリマー層を備え、前記ポリマー層が、前記金属空気セルの外側部分を規定する、請求項９に記載のシステム。
【請求項１９】
前記ポリマー層が、ポリプロピレンおよびＭｙｌａｒ（登録商標）からなるグループから選択された材料からなる、請求項１８に記載のシステム。
【請求項２０】
使用中に、空気が、まず最初に、前記金属空気セルの前記端部間の部分において、前記金属空気セルと接触する、請求項９に記載のシステム。
【請求項２１】
複数の金属空気セルを前記カートリッジ内にさらに備えた、請求項１に記載のシステム。
【請求項２２】
前記カートリッジが、電子装置の電池室にぴったりと嵌り込むような寸法を有する、請求項１に記載のシステム。
【請求項２３】
前記電池室が、複数の電池を収容するような寸法を有する、請求項２２に記載のシステム。
【請求項２４】
前記カートリッジが、ハウジングを備え、使用中に、空気が、前記ハウジングの端部間において、前記ハウジング内へ案内される、請求項１に記載のシステム。
【請求項２５】
前記カートリッジが、ハウジングを備え、前記空気流出路の一部分が、前記ハウジングの外部にある、請求項１に記載のシステム。
【請求項２６】
電気化学セルシステムであって、
第１の端部およびそれに向かい合った第２の端部を備えたカートリッジであり、前記カートリッジが、空気流入口と空気流出口とを同一の端部にさらに備えた、前記カートリッジと、
前記カートリッジ内に存在するエアムーバーであり、前記エアムーバーが、空気を前記空気流入口から前記空気流出口へ移動させるように構成された、前記エアムーバーと、
を備えた電気化学セルシステム。
【請求項２７】
前記カートリッジが、着脱可能な金属空気セルを収容するように構成された請求項２６に記載のシステム。
【請求項２８】
前記カートリッジが、前記空気流入口を含む流路を備え、前記流路が、実質的に、前記カートリッジの全長にわたって延びる、請求項２６に記載のシステム。
【請求項２９】
前記カートリッジが、ハウジングを備え、前記流路の一部分が、前記ハウジングの外部にある、請求項２８に記載のシステム。
【請求項３０】
前記カートリッジが、ハウジングを備え、前記空気流入口および前記空気流出口が、前記ハウジングの外部にある、請求項２６に記載のシステム。
【請求項３１】
前記エアムーバーが、モーターおよび羽根車を備えた、請求項２６に記載のシステム。
【請求項３２】
前記エアムーバーの動作を制御するように構成された制御回路を前記カートリッジ内にさらに備えた、請求項２６に記載のシステム。
【請求項３３】
前記カートリッジ内に金属空気セルをさらに備えた、請求項２６に記載のシステム。
【請求項３４】
前記金属空気セルが、前記金属空気セルの長手方向に沿って様々に異なる透過抵抗を有するポリマー層を備えた、請求項３３に記載のシステム。
【請求項３５】
前記透過抵抗が、前記空気流入路からの距離に応じて変化する、請求項３４に記載のシステム。
【請求項３６】
前記金属空気セルが、第１の端部および第２の端部を有し、前記エアムーバーが、前記金属空気セルの前記端部間に配置された、請求項３３に記載のシステム。
【請求項３７】
前記金属空気セルが、第１の端部および第２の端部を有し、空気の流れが、前記金属空気セルの前記端部を越えて流れることがない、請求項３３に記載のシステム。
【請求項３８】
前記エアムーバーが、前記金属空気セルから約４ｍｍ未満だけ離れている、請求項３３に記載のシステム。
【請求項３９】
前記エアムーバーが、前記金属空気セルから約３ｍｍ未満だけ離れている、請求項３３に記載のシステム。
【請求項４０】
空気の流れが、システム内を再循環しない、請求項２６に記載のシステム。
【請求項４１】
複数の金属空気セルを前記カートリッジ内にさらに備えた、請求項２６に記載のシステム。
【請求項４２】
前記カートリッジが、電子装置の電池室にぴったりと嵌り込むような寸法を有する、請求項２６に記載のシステム。
【請求項４３】
前記電池室が、複数の電池を収容するような寸法を有する、請求項４２に記載のシステム。
【請求項４４】
電気化学セルシステムを動作させる方法であって、
カートリッジの空気流入路を介して空気を第１の方向へ案内するステップと、
前記カートリッジの空気流出路を介して空気を第１の方向と反対の第２の方向へ案内するステップと、を備え、
空気が、前記カートリッジ内に存在するエアムーバーによって、前記空気流入路および前記空気流出路を介して案内される、
方法。
【請求項４５】
前記カートリッジ内に存在する金属空気セルを、前記金属空気セルの端部間の部分において、空気と接触させるステップをさらに備えた、請求項４４に記載の方法。
【請求項４６】
前記金属空気セルを第２の金属空気セルと交換するステップをさらに備えた、請求項４５に記載の方法。
【請求項４７】
予め選択されたしきい値電流に基づいて、前記エアムーバーを作動させるステップをさらに備えた、請求項４４に記載の方法。
【請求項４８】
電気化学セルシステムを動作させる方法であって、
カートリッジの一方の端部に配置された空気流入口および空気流出口を備えた前記カートリッジを提供するステップと、
空気を前記空気流入口の中へ案内するステップと、
空気を前記空気流出口を通って前記カートリッジの外へ流すステップと、を備え、
空気が、前記カートリッジ内に存在するエアムーバーによって、前記空気流入口から案内される、
方法。
【請求項４９】
前記カートリッジ内に存在する金属空気セルを、前記金属空気セルの端部間の部分において、空気と接触させるステップをさらに備えた、請求項４８に記載の方法
【請求項５０】
前記金属空気セルを第２の金属空気セルと交換するステップをさらに備えた、請求項４９に記載の方法。